(57)【特許請求の範囲】
【請求項１】
機関と接続され、前記機関の回転を伝達する動力伝達機構と、
前記動力伝達機構と駆動輪とを接続する出力側差動機構と、
前記動力伝達機構を変速させる切替装置とを備え、
前記出力側差動機構は、前記動力伝達機構の出力要素に接続された第一回転要素と、第一回転電機に接続された第二回転要素と、第二回転電機および前記駆動輪に接続された第三回転要素とを有し、
前記切替装置によって、前記動力伝達機構の出力要素の回転を規制して、前記第一回転電機および前記第二回転電機を動力源として走行するモードを有し、
前記動力伝達機構は、入力側差動機構であり、
前記切替装置は、前記動力伝達機構の回転要素同士を接続できるクラッチと、前記動力伝達機構の回転要素の回転を規制するブレーキとを有し、
前記入力側差動機構と、前記クラッチと、前記ブレーキとによって変速部が構成されている
ことを特徴とするハイブリッド車両用駆動装置。
【請求項２】
前記動力伝達機構は、前記機関の回転を増速して出力することができる
請求項１に記載のハイブリッド車両用駆動装置。
【請求項３】
前記動力伝達機構は、前記機関の回転を減速して出力することができる
請求項１に記載のハイブリッド車両用駆動装置。
【請求項４】
前記切替装置は、前記動力伝達機構の差動を規制する状態と、前記動力伝達機構の差動を許容する状態とを切り替えて前記動力伝達機構を変速させる
請求項１から３のいずれか１項に記載のハイブリッド車両用駆動装置。
【請求項５】
前記動力伝達機構と前記出力側差動機構とを同時に変速させる
請求項１に記載のハイブリッド車両用駆動装置。
【請求項６】
前記動力伝達機構と前記出力側差動機構とを同時に変速させるときに、前記動力伝達機構および前記出力側差動機構の一方の変速比を増加させ、他方の変速比を減少させる
請求項５に記載のハイブリッド車両用駆動装置。
【発明の詳細な説明】
【技術分野】
【０００１】
本発明は、ハイブリッド車両用駆動装置に関する。
【背景技術】
【０００２】
従来、変速機構を備えたハイブリッド車両が公知である。例えば、特許文献１には、内燃機関の回転を変速して動力分配機構へ伝達する変速機構と、内燃機関からの動力を変速機構に伝達する第１伝達軸と、変速機構から出力された動力を動力分配機構へ伝達する第２伝達軸とを備えたハイブリッド車の駆動装置の技術が開示されている。上記特許文献１の変速機構は、２組の遊星歯車機構が組み合わされた差動機構と、差動機構のリングギアＲ１の回転を停止可能な第１ブレーキと、リングギアＲ２の回転を停止可能な第２ブレーキと、第１伝達軸からリングギアＲ１への動力伝達を断続するクラッチとを有している。
【先行技術文献】
【特許文献】
【０００３】
【特許文献１】特開２００９−１９０６９４号公報
【発明の概要】
【発明が解決しようとする課題】
【０００４】
機関の回転を変速可能な機構を備えたハイブリッド車両において、駆動装置を簡素化できることが望ましい。例えば、構成が簡素で、かつ２つの回転電機を動力源とする走行を実現できることが好ましい。【０００５】
本発明の目的は、機関の回転を変速すること、および２つの回転電機を動力源とする走行が可能であり、かつ構成が簡素なハイブリッド車両用駆動装置を提供することである。
【課題を解決するための手段】
【０００６】
本発明のハイブリッド車両用駆動装置は、機関と接続され、前記機関の回転を伝達する動力伝達機構と、前記動力伝達機構と駆動輪とを接続する出力側差動機構と、前記動力伝達機構を変速させる切替装置とを備え、前記出力側差動機構は、前記動力伝達機構の出力要素に接続された第一回転要素と、第一回転電機に接続された第二回転要素と、第二回転電機および前記駆動輪に接続された第三回転要素とを有し、前記切替装置によって、前記動力伝達機構の出力要素の回転を規制して、前記第一回転電機および前記第二回転電機を動力源として走行するモードを有し、前記動力伝達機構は、入力側差動機構であり、前記切替装置は、前記動力伝達機構の回転要素同士を接続できるクラッチと、前記動力伝達機構の回転要素の回転を規制するブレーキとを有し、前記入力側差動機構と、前記クラッチと、前記ブレーキとによって変速部が構成されていることを特徴とする。
【０００７】
上記ハイブリッド車両用駆動装置において、前記動力伝達機構は、前記機関の回転を増速して出力することができることが好ましい。【０００８】
上記ハイブリッド車両用駆動装置において、前記動力伝達機構は、前記機関の回転を減速して出力することができることが好ましい。【００１０】
上記ハイブリッド車両用駆動装置において、前記切替装置は、前記動力伝達機構の差動を規制する状態と、前記動力伝達機構の差動を許容する状態とを切り替えて前記動力伝達機構を変速させることが好ましい。
【００１１】
上記ハイブリッド車両用駆動装置において、前記動力伝達機構と前記出力側差動機構とを同時に変速させることが好ましい。
【００１２】
上記ハイブリッド車両用駆動装置において、前記動力伝達機構と前記出力側差動機構とを同時に変速させるときに、前記動力伝達機構および前記出力側差動機構の一方の変速比を増加させ、他方の変速比を減少させることが好ましい。
【発明の効果】
【００１４】
本発明に係るハイブリッド車両用駆動装置は、機関と接続され、機関の回転を伝達する動力伝達機構と、動力伝達機構と駆動輪とを接続する差動機構と、動力伝達機構を変速させる切替装置とを備える。差動機構は、動力伝達機構の出力要素に接続された第一回転要素と、第一回転電機に接続された第二回転要素と、第二回転電機および駆動輪に接続された第三回転要素とを有する。ハイブリッド車両用駆動装置は、切替装置によって、動力伝達機構の出力要素の回転を規制して、第一回転電機および第二回転電機を動力源として走行するモードを有する。本発明に係るハイブリッド車両用駆動装置によれば、簡素な構成で、機関の走行中に変速をすること、および２つの回転電機を動力源として走行することを実現できるという効果を奏する。
【図面の簡単な説明】
【００１５】
【図１】図１は、実施形態に係る車両のスケルトン図である。
【図２】図２は、実施形態に係る車両の入出力関係図である。
【図３】図３は、実施形態に係るハイブリッド車両用駆動装置の作動係合表を示す図である。
【図４】図４は、単独モータＥＶモードに係る共線図である。
【図５】図５は、両モータＥＶモードに係る共線図である。
【図６】図６は、ロー状態のＨＶ走行モードに係る共線図である。
【図７】図７は、ハイ状態のＨＶ走行モードに係る共線図である。
【図８】図８は、実施形態に係る理論伝達効率線を示す図である。
【図９】図９は、実施形態のエンジン始動制御に係るフローチャートである。
【図１０】図１０は、実施形態のエンジン始動制御に係るタイムチャートである。
【図１１】図１１は、実施形態の第１変形例に係る車両のスケルトン図である。
【図１２】図１２は、実施形態の第２変形例に係る車両のスケルトン図である。
【図１３】図１３は、実施形態の第３変形例に係る車両のスケルトン図である。
【発明を実施するための形態】
【００１６】
以下に、本発明の実施形態に係るハイブリッド車両用駆動装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１７】
［実施形態］
図１から図１０を参照して、実施形態について説明する。本実施形態は、ハイブリッド車両用駆動装置に関する。図１は、本発明の実施形態に係る車両のスケルトン図、図２は、実施形態に係る車両の入出力関係図である。
【００１８】
本実施形態に係る車両１００は、動力源としてエンジン１、第一回転電機ＭＧ１および第二回転電機ＭＧ２を有するハイブリッド車両である。車両１００は、外部電源により充電可能なプラグインハイブリッド車両であってもよい。図１および図２に示すように、車両１００は、エンジン１、第一遊星歯車機構１０、第二遊星歯車機構２０、第一回転電機ＭＧ１、第二回転電機ＭＧ２、クラッチＣＬ１、ブレーキＢＫ１、ＨＶ＿ＥＣＵ５０、ＭＧ＿ＥＣＵ６０およびエンジン＿ＥＣＵ７０を含んで構成されている。
【００１９】
また、本実施形態に係るハイブリッド車両用駆動装置１−１は、第一遊星歯車機構１０、第二遊星歯車機構２０、クラッチＣＬ１およびブレーキＢＫ１を含んで構成されている。ハイブリッド車両用駆動装置１−１は、更に、各ＥＣＵ５０，６０，７０等の制御装置を含んで構成されてもよい。ハイブリッド車両用駆動装置１−１は、ＦＦ（前置きエンジン前輪駆動）車両あるいはＲＲ（後置きエンジン後輪駆動）車両等に適用可能である。ハイブリッド車両用駆動装置１−１は、例えば、軸方向が車幅方向となるように車両１００に搭載される。
【００２０】
本実施形態に係るハイブリッド車両用駆動装置１−１では、第一遊星歯車機構１０、クラッチＣＬ１およびブレーキＢＫ１を含んで変速部が構成されている。また、第二遊星歯車機構２０を含んで差動部が構成されている。また、クラッチＣＬ１およびブレーキＢＫ１を含んで第一遊星歯車機構１０を変速させる切替装置が構成されている。
【００２１】
機関であるエンジン１は、燃料の燃焼エネルギーを出力軸の回転運動に変換して出力する。エンジン１の出力軸は、入力軸２と接続されている。入力軸２は、動力伝達装置の入力軸である。動力伝達装置は、第一回転電機ＭＧ１、第二回転電機ＭＧ２、クラッチＣＬ１、ブレーキＢＫ１、差動装置３０等を含んで構成されている。入力軸２は、エンジン１の出力軸と同軸上かつ出力軸の延長線上に配置されている。入力軸２は、第一遊星歯車機構１０の第一キャリア１４と接続されている。
【００２２】
本実施形態の第一遊星歯車機構１０は、エンジン１と接続され、エンジン１の回転を伝達する動力伝達機構に対応している。ここでは、動力伝達機構の一例として差動機構である第一遊星歯車機構１０が示されている。第一遊星歯車機構１０は、第一差動機構として車両１００に搭載されている。第一遊星歯車機構１０は、第二遊星歯車機構２０よりもエンジン１側に配置された入力側差動機構である。第一遊星歯車機構１０は、エンジン１の回転を変速して出力可能である。第一遊星歯車機構１０は、シングルピニオン式であり、第一サンギア１１、第一ピニオンギア１２、第一リングギア１３および第一キャリア１４を有する。
【００２３】
第一リングギア１３は、第一サンギア１１と同軸上であってかつ第一サンギア１１の径方向外側に配置されている。第一ピニオンギア１２は、第一サンギア１１と第一リングギア１３との間に配置されており、第一サンギア１１および第一リングギア１３とそれぞれ噛み合っている。第一ピニオンギア１２は、第一キャリア１４によって回転自在に支持されている。第一キャリア１４は、入力軸２と連結されており、入力軸２と一体回転する。従って、第一ピニオンギア１２は、入力軸２と共に入力軸２の中心軸線周りに回転（公転）可能であり、かつ第一キャリア１４によって支持されて第一ピニオンギア１２の中心軸線周りに回転（自転）可能である。
【００２４】
クラッチＣＬ１は、第一サンギア１１と第一キャリア１４とを連結可能なクラッチ装置である。クラッチＣＬ１は、例えば、摩擦係合式のクラッチとすることができるが、これに限らず、噛合い式のクラッチ等の公知のクラッチ装置がクラッチＣＬ１として用いられてもよい。クラッチＣＬ１は、例えば、油圧によって制御されて係合あるいは開放する。完全係合状態のクラッチＣＬ１は、第一サンギア１１と第一キャリア１４とを連結し、第一サンギア１１と第一キャリア１４とを一体回転させることができる。完全係合状態のクラッチＣＬ１は、第一遊星歯車機構１０の差動を規制する。一方、開放状態のクラッチＣＬ１は、第一サンギア１１と第一キャリア１４とを切り離し、第一サンギア１１と第一キャリア１４との相対回転を許容する。つまり、開放状態のクラッチＣＬ１は、第一遊星歯車機構１０の差動を許容する。なお、クラッチＣＬ１は、半係合状態に制御可能である。
【００２５】
ブレーキＢＫ１は、第一サンギア１１の回転を規制することができるブレーキ装置である。ブレーキＢＫ１は、第一サンギア１１に接続された係合要素と、車体側、例えば動力伝達装置のケースと接続された係合要素とを有する。ブレーキＢＫ１は、クラッチＣＬ１と同様の摩擦係合式のクラッチ装置とすることができるが、これに限らず、噛合い式のクラッチ等の公知のクラッチ装置がブレーキＢＫ１として用いられてもよい。ブレーキＢＫ１は、例えば、油圧によって制御されて係合あるいは開放する。完全係合状態のブレーキＢＫ１は、第一サンギア１１と車体側とを連結し、第一サンギア１１の回転を規制することができる。一方、開放状態のブレーキＢＫ１は、第一サンギア１１と車体側とを切り離し、第一サンギア１１の回転を許容する。なお、ブレーキＢＫ１は、半係合状態に制御可能である。
【００２６】
本実施形態の第二遊星歯車機構２０は、第一遊星歯車機構１０と駆動輪３２とを接続する差動機構に対応している。第二遊星歯車機構２０は、第二差動機構として車両１００に搭載されている。第二遊星歯車機構２０は、第一遊星歯車機構１０よりも駆動輪３２側に配置された出力側差動機構である。第二遊星歯車機構２０は、シングルピニオン式であり、第二サンギア２１、第二ピニオンギア２２、第二リングギア２３および第二キャリア２４を有する。第二遊星歯車機構２０は、第一遊星歯車機構１０と同軸上に配置され、第一遊星歯車機構１０を挟んでエンジン１と互いに対向している。
【００２７】
第二リングギア２３は、第二サンギア２１と同軸上であってかつ第二サンギア２１の径方向外側に配置されている。第二ピニオンギア２２は、第二サンギア２１と第二リングギア２３との間に配置されており、第二サンギア２１および第二リングギア２３とそれぞれ噛み合っている。第二ピニオンギア２２は、第二キャリア２４によって回転自在に支持されている。第二キャリア２４は、第一リングギア１３と接続されており、第一リングギア１３と一体回転する。第二ピニオンギア２２は、第二キャリア２４と共に入力軸２の中心軸線周りに回転（公転）可能であり、かつ第二キャリア２４によって支持されて第二ピニオンギア２２の中心軸線周りに回転（自転）可能である。第一リングギア１３は、第一遊星歯車機構１０の出力要素であり、エンジン１から第一遊星歯車機構１０に入力された回転を第二キャリア２４に出力することができる。第二キャリア２４は、第一遊星歯車機構１０の出力要素に接続された第一回転要素に対応している。
【００２８】
第二サンギア２１には第一回転電機ＭＧ１の回転軸３３が接続されている。第一回転電機ＭＧ１の回転軸３３は、入力軸２と同軸上に配置されており、第二サンギア２１と一体回転する。第二サンギア２１は、第一回転電機ＭＧ１に接続された第二回転要素に対応している。第二リングギア２３には、カウンタドライブギア２５が接続されている。カウンタドライブギア２５は、第二リングギア２３と一体回転する出力ギアである。第二リングギア２３は、第二回転電機ＭＧ２および駆動輪３２に接続された第三回転要素に対応している。第二リングギア２３は、第一回転電機ＭＧ１あるいは第一遊星歯車機構１０から入力された回転を駆動輪３２に出力することができる出力要素である。
【００２９】
カウンタドライブギア２５は、カウンタドリブンギア２６と噛み合っている。カウンタドリブンギア２６は、カウンタシャフト２７を介してドライブピニオンギア２８と接続されている。カウンタドリブンギア２６とドライブピニオンギア２８とは一体回転する。また、カウンタドリブンギア２６には、リダクションギア３５が噛み合っている。リダクションギア３５は、第二回転電機ＭＧ２の回転軸３４に接続されている。つまり、第二回転電機ＭＧ２の回転は、リダクションギア３５を介してカウンタドリブンギア２６に伝達される。リダクションギア３５は、カウンタドリブンギア２６よりも小径であり、第二回転電機ＭＧ２の回転を減速してカウンタドリブンギア２６に伝達する。
【００３０】
ドライブピニオンギア２８は、差動装置３０のデフリングギア２９と噛み合っている。差動装置３０は、左右の駆動軸３１を介して駆動輪３２と接続されている。第二リングギア２３は、カウンタドライブギア２５、カウンタドリブンギア２６、ドライブピニオンギア２８、差動装置３０および駆動軸３１を介して駆動輪３２と接続されている。また、第二回転電機ＭＧ２は、第二リングギア２３と駆動輪３２との動力伝達経路に対して接続されており、第二リングギア２３および駆動輪３２に対してそれぞれ動力を伝達可能である。
【００３１】
第一回転電機ＭＧ１および第二回転電機ＭＧ２は、それぞれモータ（電動機）としての機能と、発電機としての機能とを備えている。第一回転電機ＭＧ１および第二回転電機ＭＧ２は、インバータを介してバッテリと接続されている。第一回転電機ＭＧ１および第二回転電機ＭＧ２は、バッテリから供給される電力を機械的な動力に変換して出力することができると共に、入力される動力によって駆動されて機械的な動力を電力に変換することができる。回転電機ＭＧ１，ＭＧ２によって発電された電力は、バッテリに蓄電可能である。第一回転電機ＭＧ１および第二回転電機ＭＧ２としては、例えば、交流同期型のモータジェネレータを用いることができる。
【００３２】
本実施形態の車両１００では、エンジン１と同軸上に、エンジン１から近い側から順に、ブレーキＢＫ１、クラッチＣＬ１、第一遊星歯車機構１０、カウンタドライブギア２５、第二遊星歯車機構２０および第一回転電機ＭＧ１が配置されている。また、本実施形態のハイブリッド車両用駆動装置１−１は、入力軸２と、第二回転電機ＭＧ２の回転軸３４とが異なる軸上に配置された複軸式とされている。
【００３３】
図２に示すように、車両１００は、ＨＶ＿ＥＣＵ５０、ＭＧ＿ＥＣＵ６０およびエンジン＿ＥＣＵ７０を有する。各ＥＣＵ５０，６０，７０は、コンピュータを有する電子制御ユニットである。ＨＶ＿ＥＣＵ５０は、車両１００全体を統合制御する機能を有している。ＭＧ＿ＥＣＵ６０およびエンジン＿ＥＣＵ７０は、ＨＶ＿ＥＣＵ５０と電気的に接続されている。
【００３４】
ＭＧ＿ＥＣＵ６０は、第一回転電機ＭＧ１および第二回転電機ＭＧ２を制御することができる。ＭＧ＿ＥＣＵ６０は、例えば、第一回転電機ＭＧ１に対して供給する電流値を調節し、第一回転電機ＭＧ１の出力トルクを制御すること、および第二回転電機ＭＧ２に対して供給する電流値を調節し、第二回転電機ＭＧ２の出力トルクを制御することができる。
【００３５】
エンジン＿ＥＣＵ７０は、エンジン１を制御することができる。エンジン＿ＥＣＵ７０は、例えば、エンジン１の電子スロットル弁の開度を制御すること、点火信号を出力してエンジンの点火制御を行うこと、エンジン１に対する燃料の噴射制御等を行うことができる。エンジン＿ＥＣＵ７０は、電子スロットル弁の開度制御、噴射制御、点火制御等によりエンジン１の出力トルクを制御することができる。
【００３６】
ＨＶ＿ＥＣＵ５０には、車速センサ、アクセル開度センサ、ＭＧ１回転数センサ、ＭＧ２回転数センサ、出力軸回転数センサ、バッテリセンサ等が接続されている。これらのセンサにより、ＨＶ＿ＥＣＵ５０は、車速、アクセル開度、第一回転電機ＭＧ１の回転数、第二回転電機ＭＧ２の回転数、動力伝達装置の出力軸の回転数、バッテリ状態ＳＯＣ等を取得することができる。
【００３７】
ＨＶ＿ＥＣＵ５０は、取得する情報に基づいて、車両１００に対する要求駆動力や要求パワー、要求トルク等を算出することができる。ＨＶ＿ＥＣＵ５０は、算出した要求値に基づいて、第一回転電機ＭＧ１の出力トルク（以下、「ＭＧ１トルク」とも記載する。）、第二回転電機ＭＧ２の出力トルク（以下、「ＭＧ２トルク」とも記載する。）およびエンジン１の出力トルク（以下、「エンジントルク」とも記載する。）を決定する。ＨＶ＿ＥＣＵ５０は、ＭＧ１トルクの指令値およびＭＧ２トルクの指令値をＭＧ＿ＥＣＵ６０に対して出力する。また、ＨＶ＿ＥＣＵ５０は、エンジントルクの指令値をエンジン＿ＥＣＵ７０に対して出力する。
【００３８】
ＨＶ＿ＥＣＵ５０は、後述する走行モード等に基づいて、クラッチＣＬ１およびブレーキＢＫ１をそれぞれ制御する。ＨＶ＿ＥＣＵ５０は、クラッチＣＬ１に対する供給油圧の指令値（ＰｂＣＬ１）およびブレーキＢＫ１に対する供給油圧の指令値（ＰｂＢＫ１）をそれぞれ出力する。図示しない油圧制御装置は、各指令値ＰｂＣＬ１，ＰｂＢＫ１に応じてクラッチＣＬ１およびブレーキＢＫ１に対する供給油圧を制御する。
【００３９】
図３は、本実施形態に係るハイブリッド車両用駆動装置１−１の作動係合表を示す図である。車両１００では、ハイブリッド（ＨＶ）走行あるいはＥＶ走行を選択的に実行可能である。ＨＶ走行とは、エンジン１を動力源として車両１００を走行させる走行モードである。ＨＶ走行では、エンジン１に加えて、更に第二回転電機ＭＧ２を動力源としてもよい。
【００４０】
ＥＶ走行は、第一回転電機ＭＧ１あるいは第二回転電機ＭＧ２の少なくともいずれか一方を動力源として走行する走行モードである。ＥＶ走行では、エンジン１を停止して走行することが可能である。本実施形態に係るハイブリッド車両用駆動装置１−１は、ＥＶ走行モードとして、第二回転電機ＭＧ２を単独の動力源として車両１００を走行させる単独モータＥＶモードと、第一回転電機ＭＧ１および第二回転電機ＭＧ２を動力源として車両１００を走行させる両モータＥＶモードを有する。
【００４１】
図３の係合表において、クラッチＣＬ１の欄およびブレーキＢＫ１の欄の丸印は、係合を示し、空欄は開放を示す。また、三角印は、係合／開放のいずれであっても実行可能なことを示す。単独モータＥＶモードは、例えば、クラッチＣＬ１およびブレーキＢＫ１を共に開放して実行される。図４は、単独モータＥＶモードに係る共線図である。共線図において、符号Ｓ１，Ｃ１，Ｒ１は、それぞれ第一サンギア１１、第一キャリア１４、第一リングギア１３を示し、符号Ｓ２，Ｃ２，Ｒ２は、それぞれ第二サンギア２１、第二キャリア２４、第二リングギア２３を示す。
【００４２】
単独モータＥＶモードでは、クラッチＣＬ１およびブレーキＢＫ１が開放している。ブレーキＢＫ１が開放していることで、サンギア１１の回転が許容され、クラッチＣＬ１が開放していることで、第一遊星歯車機構１０は差動可能である。ＨＶ＿ＥＣＵ５０は、ＭＧ＿ＥＣＵ６０を介して第二回転電機ＭＧ２に正トルクを出力させて車両１００に前進方向の駆動力を発生させる。第二リングギア２３は、駆動輪３２の回転と連動して正回転する。ここで、正回転とは、車両１００の前進時の第二リングギア２３の回転方向とする。ＨＶ＿ＥＣＵ５０は、第一回転電機ＭＧ１をジェネレータとして作動させて引き摺り損失を低減させる。具体的には、ＨＶ＿ＥＣＵ５０は、第一回転電機ＭＧ１にわずかなトルクをかけて発電させ、第一回転電機ＭＧ１の回転数を０回転とする。これにより、第一回転電機ＭＧ１の引き摺り損失を低減することができる。
【００４３】
第一リングギア１３は、第二キャリア２４に連れ回り正回転する。第一遊星歯車機構１０では、クラッチＣＬ１およびブレーキＢＫ１が開放されたニュートラルの状態であるため、エンジン１は連れ回されず、第一キャリア１４は回転を停止する。よって回生量を大きく取ることが可能である。サンギア１１は空転して負回転する。なお、第一遊星歯車機構１０のニュートラル（中立）状態は、第一リングギア１３と第一キャリア１４との間で動力が伝達されない状態、すなわちエンジン１と第二遊星歯車機構２０とが切り離され、動力の伝達が遮断された状態である。第一遊星歯車機構１０は、変速部クラッチＣＬ１あるいは変速部ブレーキＢＫ１の少なくともいずれか一方が係合していると、エンジン１と第二遊星歯車機構２０とを接続する接続状態となる。
【００４４】
単独モータＥＶモードで走行時に、バッテリの充電状態がフルとなり、回生エネルギーが取れない場合が発生し得る。この場合、エンジンブレーキを併用することが考えられる。クラッチＣＬ１あるいはブレーキＢＫ１を係合することで、エンジン１を駆動輪３２と接続し、エンジンブレーキを駆動輪３２に作用させることができる。図３に三角印で示すように、単独モータＥＶモードでクラッチＣＬ１あるいはブレーキＢＫ１を係合すると、エンジン１を連れ回し状態とし、第一回転電機ＭＧ１でエンジン回転数を上げてエンジンブレーキ状態とすることができる。
【００４５】
両モータＥＶモードでは、ＨＶ＿ＥＣＵ５０は、クラッチＣＬ１およびブレーキＢＫ１を係合する。図５は、両モータＥＶモードに係る共線図である。クラッチＣＬ１が係合することで、第一遊星歯車機構１０の差動は規制され、ブレーキＢＫ１が係合することで、第一サンギア１１の回転が規制される。従って、第一遊星歯車機構１０の全回転要素の回転が停止する。出力要素である第一リングギア１３の回転が規制されることで、これと接続された第二キャリア２４が０回転にロックされる。
【００４６】
ＨＶ＿ＥＣＵ５０は、第一回転電機ＭＧ１および第二回転電機ＭＧ２にそれぞれ走行駆動用のトルクを出力させる。第二キャリア２４は、回転が規制されていることで、第一回転電機ＭＧ１のトルクに対して反力を取り、第一回転電機ＭＧ１のトルクを第二リングギア２３から出力させることができる。第一回転電機ＭＧ１は、前進時に負トルクを出力して負回転することで、第二リングギア２３から正のトルクを出力させることができる。一方、後進時には、第一回転電機ＭＧ１は、正トルクを出力して正回転することで、第二リングギア２３から負のトルクを出力させることができる。
【００４７】
ＨＶ走行では、差動部としての第二遊星歯車機構２０は作動状態を基本とし、変速部の第一遊星歯車機構１０は、ロー／ハイの切り替えがなされる。図６は、ロー状態のＨＶ走行モード（以下、「ＨＶローモード」とも記載する。）に係る共線図、図７は、ハイ状態のＨＶ走行モード（以下、「ＨＶハイモード」とも記載する。）に係る共線図である。
【００４８】
ＨＶローモードでは、ＨＶ＿ＥＣＵ５０は、クラッチＣＬ１を係合し、ブレーキＢＫ１を開放する。クラッチＣＬ１が係合することにより、第一遊星歯車機構１０は差動が規制され、各回転要素１１，１３，１４が一体回転する。従って、エンジン１の回転は増速も減速もされず、等速で第一リングギア１３から第二キャリア２４に伝達される。
【００４９】
一方、ＨＶハイモードでは、ＨＶ＿ＥＣＵ５０は、クラッチＣＬ１を開放し、ブレーキＢＫ１を係合する。ブレーキＢＫ１が係合することにより、第一サンギア１１の回転が規制される。よって、第一遊星歯車機構１０は、第一キャリア１４に入力されたエンジン１の回転が増速されて第一リングギア１３から出力されるオーバドライブ（ＯＤ）状態となる。このように、第一遊星歯車機構１０は、エンジン１の回転を増速して出力することができる。オーバドライブ時の第一遊星歯車機構１０の変速比は、例えば、０．７とすることができる。
【００５０】
このように、クラッチＣＬ１およびブレーキＢＫ１からなる切替装置は、第一遊星歯車機構１０の差動を規制する状態と、第一遊星歯車機構１０の差動を許容する状態とを切り替えて第一遊星歯車機構１０を変速させる。
【００５１】
ＨＶ＿ＥＣＵ５０は、例えば、高車速ではＨＶハイモードを選択し、中低車速ではＨＶローモードを選択する。本実施形態では、ＨＶハイモードとＨＶローモードとの切り替えによりエンジン１の回転を変速して出力することで、後述するメカニカルポイントが２つとなり、燃費を向上させることができる。図８は、本実施形態に係る理論伝達効率線を示す図である。
【００５２】
図８において、横軸は変速比、縦軸は理論伝達効率を示す。ここで、変速比とは、遊星歯車機構１０，２０の出力側回転数に対する入力側回転数の比（減速比）であり、例えば、第二リングギア２３の回転数に対する第一キャリア１４の回転数の比を示す。横軸において、左側が変速比の小さいハイギア側であり、右側が変速比の大きいローギア側となる。理論伝達効率は、遊星歯車機構１０，２０に入力される動力が電気パスを介さずに機械的な伝達によって全てカウンタドライブギア２５に伝達される場合に最大効率１．０となる。
【００５３】
図８に示す曲線は、ＨＶハイモードとＨＶローモードとを適宜切り替えた場合のＨＶ走行モードの理論伝達効率線である。例えば、同じ変速比においてＨＶハイモードとＨＶローモードのいずれか高効率のモードが選択される。相対的に右側がＨＶローモード時の理論伝達効率線であり、左側がＨＶハイモード時の理論伝達効率線である。ＨＶローモードの伝達効率は、変速比γ１において最大効率となる。変速比γ１では、第一回転電機ＭＧ１（第二サンギア２１）の回転数が０となる。このため、変速比γ１では、第一回転電機ＭＧ１が反力を受けることによる電気パスは０であり、機械的な動力の伝達のみによってエンジン１からカウンタドライブギア２５に動力を伝達することができる。この変速比γ１は、オーバドライブ側の変速比、すなわち１よりも小さな変速比である。本明細書では、この変速比γ１を「第一機械伝達変速比γ１」とも記載する。
【００５４】
ＨＶハイモードの理論伝達効率は、変速比γ２において最大効率となる。ＨＶハイモードでは、変速比γ２において第一回転電機ＭＧ１（第二サンギア２１）の回転数が０となり、機械的な動力の伝達のみによってエンジン１からカウンタドライブギア２５に動力を伝達することができる。この変速比γ２は、第一機械伝達変速比γ１よりもハイギア側の変速比である。本明細書では、この変速比γ２を「第二機械伝達変速比γ２」とも記載する。
【００５５】
ＨＶ走行モードの理論伝達効率は、変速比が第一機械伝達変速比γ１よりもローギア側の値となるに従い低下する。また、ＨＶ走行モードの理論伝達効率は、変速比が第二機械伝達変速比γ２よりもハイギア側の値となるに従い低下する。ＨＶ走行モードの理論伝達効率は、第一機械伝達変速比γ１と第二機械伝達変速比γ２との間の変速比の領域では、低効率側に湾曲している。
【００５６】
このように、本実施形態に係るハイブリッド車両用駆動装置１−１は、変速比１よりもハイギア側に２つのメカニカルポイントを有する。ハイブリッド車両用駆動装置１−１は、第一遊星歯車機構１０とクラッチＣＬ１とブレーキＢＫ１とを含む変速部を有することで、エンジン１が第二キャリア２４に直接連結される場合のメカニカルポイント（第一機械伝達変速比γ１）よりもハイギア側に第２のメカニカルポイント（第二機械伝達変速比γ２）を発生させることができる。従って、ハイギア動作時の伝達効率を向上させることができる。つまり、高速走行時の伝達効率向上による燃費の向上を図ることができるハイブリッドシステムを実現できる。
【００５７】
ＨＶ＿ＥＣＵ５０は、ＨＶハイモードとＨＶローモードとの切り替えを行う場合、第一遊星歯車機構１０と第二遊星歯車機構２０とを同時に変速させる協調変速制御を実行する。ＨＶ＿ＥＣＵ５０は、協調変速制御において、第一遊星歯車機構１０および第二遊星歯車機構２０の一方の変速比を増加させ、他方の変速比を減少させる。
【００５８】
ＨＶ＿ＥＣＵ５０は、ＨＶハイモードからＨＶローモードに切り替える場合、モードの切り替えと同期して第二遊星歯車機構２０の変速比をハイギア側に変化させる。これにより、車両１００のエンジン１から駆動輪３２までの全体での変速比の不連続な変化を抑制または低減し、変速比の変化の度合いを低減することができる。エンジン１から駆動輪３２までの変速比の変化が抑制されることで、変速に伴うエンジン回転数の調節量を低減させ、あるいはエンジン回転数の調節を不要とすることができる。ＨＶ＿ＥＣＵ５０は、例えば、車両１００全体での変速比をロー側に連続的に変化させるように、第一遊星歯車機構１０および第二遊星歯車機構２０を協調して変速させる。
【００５９】
一方、ＨＶ＿ＥＣＵ５０は、ＨＶローモードからＨＶハイモードに切り替える場合、モードの切り替えと同期して第二遊星歯車機構２０の変速比をローギア側に変化させる。これにより、車両１００全体での変速比の不連続な変化を抑制または低減し、変速比の変化の度合いを低減することができる。ＨＶ＿ＥＣＵ５０は、例えば、車両１００全体での変速比をハイ側に連続的に変化させるように、第一遊星歯車機構１０および第二遊星歯車機構２０を協調して変速させる。
【００６０】
第二遊星歯車機構２０の変速比の調節は、例えば、第一回転電機ＭＧ１の回転数の制御によって行われる。ＨＶ＿ＥＣＵ５０は、例えば、入力軸２とカウンタドライブギア２５との間の変速比を無段階に変化させるように第一回転電機ＭＧ１を制御する。これにより、遊星歯車機構１０，２０、第一回転電機ＭＧ１、クラッチＣＬ１およびブレーキＢＫ１を含む全体、すなわち差動部と変速部を含む変速装置が電気的無段変速機として作動する。
【００６１】
（エンジン始動制御）
次に、本実施形態に係るハイブリッド車両用駆動装置１−１のエンジン始動制御について説明する。ＨＶ＿ＥＣＵ５０は、例えば、ＥＶ走行モードからＨＶ走行モードに移行する場合、停止していたエンジン１を始動する。ＨＶ＿ＥＣＵ５０は、例えば、第一回転電機ＭＧ１によってエンジン１を回転させ、エンジン１を始動する。図９を参照して、エンジン始動制御について説明する。図９は、本実施形態のエンジン始動制御に係るフローチャート、図１０は、本実施形態のエンジン始動制御に係るタイムチャートである。図１０において、（ａ）はエンジン回転数、（ｂ）はＭＧ１トルク、（ｃ）は第一回転電機ＭＧ１の回転数、（ｄ）はＭＧ２トルク、（ｅ）は第二回転電機ＭＧ２の回転数、（ｆ）はクラッチＣＬ１の油圧、（ｇ）はブレーキＢＫ１の油圧、（ｈ）は充電状態ＳＯＣをそれぞれ示す。図９に示す制御フローは、例えば、ＥＶ走行モードで走行中に実行される。
【００６２】
ステップＳ１０では、ＨＶ＿ＥＣＵ５０により、充電状態ＳＯＣが閾値Ｓｆ未満であるか否かが判定される。この閾値Ｓｆは、例えば、エンジン１を始動してバッテリを充電する必要があるかを判定するものである。ステップＳ１０の判定の結果、充電状態ＳＯＣが閾値Ｓｆ未満であると判定された場合（ステップＳ１０−Ｙ）にはステップＳ２０に進み、そうでない場合（ステップＳ１０−Ｎ）にはステップＳ９０に進む。図１０では、時刻ｔ１に充電状態ＳＯＣが閾値Ｓｆ未満となり、ステップＳ１０で肯定判定がなされる。
【００６３】
ステップＳ２０では、ＨＶ＿ＥＣＵ５０により、第二回転電機ＭＧ２による単独モータＥＶモードであるか否かが判定される。車両１００に対する要求駆動力が所定値Ｐ１よりも小さい場合、第二回転電機ＭＧ２による単独モータＥＶモードが選択される。一方、要求駆動力が所定値Ｐ１以上である場合、両モータＥＶモードが選択される。ステップＳ２０の判定の結果、単独モータＥＶモードによる走行中であると判定された場合（ステップＳ２０−Ｙ）にはステップＳ３０に進み、そうでない場合（ステップＳ２０−Ｎ）にはステップＳ６０に進む。
【００６４】
ステップＳ３０では、ＨＶ＿ＥＣＵ５０により、クラッチＣＬ１の係合切り替えがなされる。単独モータＥＶモードでは、クラッチＣＬ１およびブレーキＢＫ１が共に開放されている場合の他に、クラッチＣＬ１が係合されてブレーキＢＫ１が開放されている場合、クラッチＣＬ１が開放されてブレーキＢＫ１が係合されている場合がある。ＨＶ＿ＥＣＵ５０は、クラッチＣＬ１を係合し、ブレーキＢＫ１を開放した状態に切り替える。ステップＳ３０が実行されると、ステップＳ４０に進む。
【００６５】
ステップＳ４０では、ＨＶ＿ＥＣＵ５０は、第一回転電機ＭＧ１の回転数制御によりエンジン始動制御を実施する。クラッチＣＬ１が係合すると、エンジン１は第一回転電機ＭＧ１、第二回転電機ＭＧ２および駆動輪３２と接続され、連れ回される状態となる。ＨＶ＿ＥＣＵ５０は、例えば、第一回転電機ＭＧ１の回転数制御により第二キャリア２４の回転数を０とし、変速部クラッチＣＬ１を係合させる。ＨＶ＿ＥＣＵ５０は、変速部クラッチＣＬ１を係合させると、第一回転電機ＭＧ１の回転数制御によってエンジン回転数を上昇させる。ＨＶ＿ＥＣＵ５０は、エンジン回転数が所定の回転数まで上昇すると、エンジン１に対して燃料を供給し、点火制御によりエンジン１を始動する。ステップＳ４０が実行されると、ステップＳ５０に進む。
【００６６】
なお、ＨＶ＿ＥＣＵ５０は、クラッチＣＬ１を係合させるときに、第二キャリア２４を回転させたままでクラッチＣＬ１に対する供給油圧を徐々に増加させてクラッチＣＬ１をスムーズ係合させることができる。ＨＶ＿ＥＣＵ５０は、クラッチＣＬ１が完全係合した後、あるいはクラッチＣＬ１のクラッチトルク容量を増加させるのと同時に、第一回転電機ＭＧ１の回転数制御により、エンジン回転数を増加させる。
【００６７】
ステップＳ５０では、ＨＶ＿ＥＣＵ５０により、第二回転電機ＭＧ２の反力トルク制御がなされる。第一回転電機ＭＧ１の回転数制御によりエンジン回転数を上昇させる場合、ＭＧ１トルクによって、第二リングギア２３には始動反力トルクが作用する。この始動反力トルクは、負方向のトルクであり、車両１００の走行駆動力を減少させるトルクである。ＨＶ＿ＥＣＵ５０は、始動反力トルクによる駆動力の抜けを抑制するように、第二回転電機ＭＧ２のトルクを正方向に増加させる。すなわち、反力トルク制御は、始動反力トルクをキャンセルするキャンセルトルクを第二回転電機ＭＧ２によって出力させるものである。これにより、エンジン始動時のトルク変動によるドライバビリティの低下が抑制される。ステップＳ５０が実行されると、本制御フローは終了する。
【００６８】
ステップＳ６０では、ＨＶ＿ＥＣＵ５０により、ブレーキＢＫ１の開放切り替えがなされる。両モータＥＶモードでは、クラッチＣＬ１およびブレーキＢＫ１がそれぞれ係合されている。ＨＶ＿ＥＣＵ５０は、ブレーキＢＫ１を開放し、クラッチＣＬ１が係合した状態に切り替える。図１０では、時刻ｔ２にブレーキＢＫ１の開放が開始される。ステップＳ６０が実行されると、ステップＳ７０に進む。
【００６９】
ステップＳ７０では、ＨＶ＿ＥＣＵ５０は、第一回転電機ＭＧ１の回転数制御によりエンジン始動制御を実施する。ＨＶ＿ＥＣＵ５０は、ブレーキＢＫ１を開放している間、ＭＧ１トルクをそれまでの負トルクから０にする。時刻ｔ３にブレーキＢＫ１の開放が完了すると、ＨＶ＿ＥＣＵ５０は、ＭＧ１トルクを正トルクとし、第一回転電機ＭＧ１の回転を正方向の回転に変化させていく。第一回転電機ＭＧ１の回転数の上昇と共に、エンジン回転数が上昇する。このときのＭＧ１トルクは一定値であっても、第一回転電機ＭＧ１の回転数に基づいて変化してもよい。時刻ｔ４にエンジン回転数が所定の回転数に到達すると、ＨＶ＿ＥＣＵ５０はエンジン１に燃料を供給し、点火する。エンジン１の自立運転が開始されると、ＭＧ１トルクは負トルクに切り替えられ、第一回転電機ＭＧ１はエンジン１の反力トルクを受ける。ステップＳ７０が実行されると、ステップＳ８０に進む。
【００７０】
ステップＳ８０では、ＨＶ＿ＥＣＵ５０により、第二回転電機ＭＧ２の反力トルク制御がなされる。ステップＳ８０の反力トルク制御は、ステップＳ５０の反力トルク制御と同様のものであることができる。図１０では、時刻ｔ３に反力トルク制御によってＭＧ２トルクが増加する。エンジン１に対する点火が開始されてエンジントルクが出力され始める時刻ｔ４に反力トルク制御が終了し、ＭＧ２トルクが低減される。ステップＳ８０が実行されると、本制御フローは終了する。
【００７１】
ステップＳ９０では、ＨＶ＿ＥＣＵ５０により、モータ走行が継続される。ＨＶ＿ＥＣＵ５０は、エンジン始動が不要であるため、ＥＶ走行モードによる走行を継続させる。ステップＳ９０が実行されると、本制御フローは終了する。
【００７２】
以上説明したように、本実施形態に係るハイブリッド車両用駆動装置１−１は、第一遊星歯車機構１０、クラッチＣＬ１およびブレーキＢＫ１を含む変速部によってＨＶハイモードとＨＶローモードとの切り替えが可能であり、車両１００の伝達効率を向上させることができる。また、変速部の後段には、直列に差動部としての第二遊星歯車機構２０が接続されている。第一遊星歯車機構１０がオーバドライブであるため、第一回転電機ＭＧ１を大きく高トルク化しなくてもよいという利点がある。
【００７３】
また、変速部のクラッチＣＬ１およびブレーキＢＫ１を係合することで、第二遊星歯車機構２０の入力要素の回転を規制することができ、両モータＥＶモードによる走行を可能とできる。このため、両モータＥＶモードを実現するために別途クラッチ等を設ける必要がなく、構成が簡素化される。本実施形態のレイアウトでは、第二回転電機ＭＧ２の減速比を大きく取ることができる。また、ＦＦあるいはＲＲレイアウトによりコンパクトな配置を実現できる。
【００７４】
また、単独モータＥＶモードによる走行中は、変速部のクラッチＣＬ１およびブレーキＢＫ１を開放してニュートラルとすることでエンジン回転数が略０に維持される。よって、エンジン切離し用の専用のクラッチが不要である。
【００７５】
また、変速部の回転要素同士を係合してエンジン回転数を０に固定する固定手段は、複数の係合装置からなる。具体的には、本実施形態の固定手段は、クラッチＣＬ１およびブレーキＢＫ１の２つの係合装置を有する。両モータＥＶモードからエンジン１を始動するときは、複数の係合装置の一方は係合のまま他方の係合装置を開放して動力伝達状態に切り替えられる。一つの係合装置の開放なので、エンジン始動時に第一回転電機ＭＧ１によってエンジン回転数を上昇させる制御を容易に行うことができる。
【００７６】
また、ＨＶ走行時に変速部を変速させてＨＶハイモードとＨＶローモードとを切り替えることができる。この変速により、メカニカルポイントが２つ取れることで、高速走行時に適切な変速比を選択することで、動力循環の発生を抑制することができる。また、変速部の変速時に第二遊星歯車機構２０を同時変速させることで、変速比の急激な変化を抑制することができる。
【００７７】
なお、本実施形態では、単独モータＥＶモードからのエンジン始動ではクラッチＣＬ１が係合状態、ブレーキＢＫ１が開放状態とされたが、これに代えて、ブレーキＢＫ１が係合状態、クラッチＣＬ１が開放状態とされてエンジン始動がなされてもよい。
【００７８】
本実施形態のクラッチＣＬ１は、第一サンギア１１と第一キャリア１４とを接続するものであったが、これには限定されない。クラッチＣＬ１は、第一遊星歯車機構１０の各回転要素１１，１３，１４を互いに接続することで第一遊星歯車機構１０の差動を規制できるものであればよい。また、ブレーキＢＫ１は、第一サンギア１１の回転を規制するものには限定されない。ブレーキＢＫ１は第一遊星歯車機構１０の他の回転要素の回転を規制するものであってもよい。
【００７９】
また、切替装置は、第一遊星歯車機構１０の出力要素の回転を規制する状態と、出力要素の回転を許容する状態とを切り替えることができるものであればよく、例示したクラッチＣＬ１とブレーキＢＫ１との組合せには限定されない。
【００８０】
本実施形態では、動力伝達機構および差動機構（出力側差動機構）がそれぞれ遊星歯車機構１０，２０であったが、これには限定されない。動力伝達機構は、他の公知の差動機構や複数のギア比に切り替えることが可能なギア機構であってもよい。また、出力側差動機構として、他の公知の差動機構が用いられてもよい。
【００８１】
動力伝達機構は、例えば、ツインクラッチ式のものであってもよい。例えば、動力伝達機構は、第一のクラッチを介して第一の変速比でエンジン１の回転を第二遊星歯車機構２０に伝達する第一伝達部と、第二のクラッチを介して第二の変速比でエンジン１の回転を第二遊星歯車機構２０に伝達する第二伝達部とを有するものであってもよい。第一の変速比と、第二の変速比とは、異なる。この動力伝達機構は、第一のクラッチあるいは第二のクラッチのいずれかを係合することで、エンジン１から第二遊星歯車機構２０に動力を伝達することができる接続状態となる。また、動力伝達機構は、第一クラッチおよび第二クラッチを共に係合することで出力要素の回転が規制される。また、動力伝達機構は、第一クラッチおよび第二クラッチを共に開放することで、エンジン１と第二遊星歯車機構２０との動力伝達が不能な中立状態となる。
【００８２】
こうした構成としては、例えば、第二遊星歯車機構２０の入力要素に接続された一つの入力ギアと、この入力ギアにそれぞれ噛み合う第一ギアおよび第二ギアとを有するものがある。第一ギアは第一クラッチを介してエンジン１と接続されており、第二ギアは第二クラッチを介してエンジン１と接続されている。また、第一ギアと第二ギアとは歯数が異なる。第一伝達部は、第一ギア、第一クラッチおよび入力ギアを含んで構成される。第二伝達部は、第二ギア、第二クラッチおよび入力ギアを含んで構成される。第一クラッチが係合されると、第一伝達部によって、第一ギアと入力ギアとのギア比に応じた変速比でエンジン１の回転が第二遊星歯車機構２０に伝達される。第二クラッチが係合されると、第二伝達部によって、第二ギアと入力ギアとのギア比に応じた変速比でエンジン１の回転が第二遊星歯車機構２０に伝達される。また、第一クラッチおよび第二クラッチが共に係合された場合、第一伝達部と第二伝達部とのギア比の異なりにより入力ギアの回転が規制される。なお、第一伝達部および第二伝達部は、更に変速機構を含んでいてもよい。
【００８３】
本実施形態では、第一遊星歯車機構１０に接続される機関がエンジン１であったが、これに代えて、他の公知の機関が第一遊星歯車機構１０に接続されてもよい。
【００８４】
［実施形態の第１変形例］
実施形態の第１変形例について説明する。図１１は、第１変形例に係る車両１００のスケルトン図である。本変形例のハイブリッド車両用駆動装置１−２において、上記実施形態のハイブリッド車両用駆動装置１−１と異なる点は、第一遊星歯車機構４０がアンダドライブ変速とされている点、およびクラッチＣＬ１およびブレーキＢＫ１の配置である。
【００８５】
第一遊星歯車機構４０の構成は、上記実施形態の第一遊星歯車機構１０と同様のものとすることができる。第一遊星歯車機構４０は、第一サンギア４１、第一ピニオンギア４２、第一リングギア４３および第一キャリア４４を有する。図１１に示すように、入力軸２は、第一遊星歯車機構４０の第一リングギア４３と接続されている。また、第一遊星歯車機構４０の第一キャリア４４が第二キャリア２４と接続されている。つまり、本変形例では、第一遊星歯車機構４０の入力要素は第一リングギア４３であり、出力要素は第一キャリア４４である。
【００８６】
クラッチＣＬ１は、上記実施形態と同様に第一サンギア４１と第一キャリア４４とを連結可能である。また、ブレーキＢＫ１は、上記実施形態と同様に第一サンギア４１の回転を規制することができる。本変形例では、クラッチＣＬ１およびブレーキＢＫ１は、第一遊星歯車機構４０と第二遊星歯車機構２０との間に配置されている。本変形例では、エンジン１と同軸上に、エンジン１から近い側から順に、第一遊星歯車機構４０、クラッチＣＬ１、ブレーキＢＫ１、カウンタドライブギア２５、第二遊星歯車機構２０および第一回転電機ＭＧ１が配置されている。
【００８７】
第一遊星歯車機構４０は、エンジン１の回転を減速して第一キャリア４４から出力することができる。ブレーキＢＫ１が係合され、かつクラッチＣＬ１が開放されると、入力要素としての第一リングギア４３の回転数よりも出力要素としての第一キャリア４４の回転数が低いアンダドライブ状態となる。このときの第一遊星歯車機構４０の変速比は、例えば、１．４とすることができる。
一方、クラッチＣＬ１が係合され、かつブレーキＢＫ１が開放されると、第一リングギア４３の回転数と第一キャリア４４の回転数とが等しくなる。
【００８８】
従って、本変形例に係るハイブリッド車両用駆動装置１−２では、ＨＶローモードのときはブレーキＢＫ１が係合され、かつクラッチＣＬ１が開放される。ＨＶハイモードのときは、クラッチＣＬ１が係合され、かつブレーキＢＫ１が開放される。
【００８９】
本変形例に係るハイブリッド車両用駆動装置１−２では、上記実施形態とは反対に、第二機械伝達変速比γ２は、第一機械伝達変速比γ１よりもローギア側の変速比となる。なお、第一機械伝達変速比γ１および第二機械伝達変速比γ２がいずれも変速比１よりもハイギア側の変速比であることは上記実施形態と共通である。
【００９０】
［実施形態の第２変形例］
実施形態の第２変形例について説明する。上記実施形態および第１変形例のハイブリッド車両用駆動装置１−１，１−２は複軸式であったが、これに代えて単軸式とされてもよい。図１２は、本変形例に係る車両１００のスケルトン図である。
【００９１】
図１２に示すように、本変形例に係るハイブリッド車両用駆動装置１−３は、エンジン１、第一遊星歯車機構１０、第一回転電機ＭＧ１、第二遊星歯車機構８０および第二回転電機ＭＧ２が同軸上に配置された単軸式のものである。エンジン１に近い側から順に、ブレーキＢＫ１、クラッチＣＬ１、第一遊星歯車機構１０、第一回転電機ＭＧ１、第二遊星歯車機構８０、第二回転電機ＭＧ２が配置されている。
【００９２】
変速部の構成は、上記実施形態に係るハイブリッド車両用駆動装置１−１の変速部の構成と同様とすることができる。第一回転電機ＭＧ１の回転軸３３は、中空であり、その内部に連結軸８５が挿入されている。連結軸８５は、第一リングギア１３と第二キャリア８４とを接続している。第二遊星歯車機構８０は、第二サンギア８１、第二ピニオンギア８２、第二リングギア８３および第二キャリア８４を有しており、上記実施形態の第二遊星歯車機構２０と同様のものとすることができる。
【００９３】
第二リングギア８３は、第二回転電機ＭＧ２の回転軸３４と接続されている。回転軸３４は、プロペラシャフトである。回転軸３４における第二リングギア８３側と反対側は、図示しない差動装置および駆動軸を介して駆動輪と接続されている。本変形例に係るハイブリッド車両用駆動装置１−３は、例えば、ＦＲ（前置きエンジン後輪駆動）車両に適用可能である。
【００９４】
［実施形態の第３変形例］
実施形態の第３変形例について説明する。本変形例に係るハイブリッド車両用駆動装置１−４は、単軸式であって、ＦＦ車両あるいはＲＲ車両に適用可能なものである。図１３は、本変形例に係る車両１００のスケルトン図である。
【００９５】
図１３に示すように、本変形例に係るハイブリッド車両用駆動装置１−４は、エンジン１、第一遊星歯車機構１０、第二遊星歯車機構２０、第三遊星歯車機構９０、第一回転電機ＭＧ１および第二回転電機ＭＧ２が同軸上に配置された単軸式のものである。エンジン１に近い側から順に、ブレーキＢＫ１、クラッチＣＬ１、第一遊星歯車機構１０、カウンタドライブギア２５、第二遊星歯車機構２０、第三遊星歯車機構９０、第二回転電機ＭＧ２、第一回転電機ＭＧ１が配置されている。
【００９６】
変速部の構成は、上記実施形態に係るハイブリッド車両用駆動装置１−１の変速部の構成と同様とすることができる。第三遊星歯車機構９０は、シングルピニオン式であり、第三サンギア９１、第三ピニオンギア９２、第三リングギア９３を有する。第三ピニオンギア９２を支持するキャリアは、回転不能に固定されている。第三リングギア９３は、第二リングギア２３およびカウンタドライブギア２５と接続されている。第三サンギア９１は、第二回転電機ＭＧ２の回転軸３４と接続されている。第三遊星歯車機構９０は、第二回転電機ＭＧ２の回転を減速して第三リングギア９３から出力することができる。
【００９７】
［実施形態の第４変形例］
上記実施形態および各変形例では、第一遊星歯車機構１０，４０および第二遊星歯車機構２０，８０はいずれもシングルピニオン式であったが、これには限定されない。例えば、第一遊星歯車機構１０，４０あるいは第二遊星歯車機構２０，８０の少なくともいずれか一方がダブルピニオン式とされてもよい。例えば、第一遊星歯車機構１０，４０をダブルピニオン式の遊星歯車機構とすることができる。この場合、各共線図において、第一リングギア１３，４３の位置と第一キャリア１４，４４の位置とが入れ替わる。シングルピニオン式とダブルピニオン式とでは、変速部のオーバドライブとアンダドライブとが逆転する。
【００９８】
上記の実施形態および各変形例によれば、「機関と、変速部と、差動部とを備え、機関の出力軸が変速部の入力軸に連結され、この差動部の第１要素が変速部の出力軸に連結され、第２要素に第１回転機（電動機）が連結され、第３要素に第２回転機（電動機）が連結され、変速部の要素を係合して機関回転数を０に固定することが可能な駆動装置」が開示されている。
【００９９】
上記の実施形態および変形例に開示された内容は、適宜組み合わせて実行されることができる。
【符号の説明】
【０１００】
１−１，１−２，１−３  ハイブリッド車両用駆動装置
１  エンジン
１０，４０  第一遊星歯車機構
１３，４３  第一リングギア
１４，４４  第一キャリア
２０，８０  第二遊星歯車機構
２１，８１  第二サンギア
２３，８３  第二リングギア
２４，８４  第二キャリア
３２  駆動輪
５０  ＨＶ＿ＥＣＵ
６０  ＭＧ＿ＥＣＵ
７０  エンジン＿ＥＣＵ
１００  車両
ＢＫ１  ブレーキ
ＣＬ１  クラッチ
ＭＧ１  第一回転電機
ＭＧ２  第二回転電機
【図１】
0005892180.tif 000002
【図２】
0005892180.tif 000003
【図３】
0005892180.tif 000004
【図４】
0005892180.tif 000005
【図５】
0005892180.tif 000006
【図６】
0005892180.tif 000007
【図７】
0005892180.tif 000008
【図８】
0005892180.tif 000009
【図９】
0005892180.tif 000010
【図１０】
0005892180.tif 000011
【図１１】
0005892180.tif 000012
【図１２】
0005892180.tif 000013
【図１３】
0005892180.tif 000014